(57)【要約】【課題】  災害時などにおいて、容易かつ迅速に不要な高周波信号を除去・排除することを可能にする。【解決手段】  所定の高周波信号に対して不要な高周波信号の周波数が低い場合に、一端が開放または短絡され、他端が給電線１０３に接続自在で、所定の高周波信号に対して接続点Ａでのインピーダンスが無限大になるように、所定の高周波信号の波長λｐに基づいて長さＬ１が設定された基本スタブ２と、基本スタブ２から分岐して接続され、不要な高周波信号に対して接続点Ａでのインピーダンスがゼロになるように、長さＬ４が設定された補正スタブ３と、を備える。【選択図】  図１
2016058795.tif 000002
【特許請求の範囲】
【請求項１】
空中線と無線機とが給電線によって接続された無線装置において、所定の高周波信号に対して低い周波数の不要な高周波信号を除去するための臨時用無線フィルタ装置であって、
一端が開放または短絡され、他端が前記給電線に接続自在で、前記所定の高周波信号に対して接続点でのインピーダンスが無限大になるように、前記所定の高周波信号の波長に基づいて長さが設定された第１の分布定数線路と、
前記第１の分布定数線路から分岐して接続され、前記不要な高周波信号に対して前記接続点でのインピーダンスがゼロになるように、長さが設定された第２の分布定数線路と、
を備えることを特徴とする臨時用無線フィルタ装置。
【請求項２】
空中線と無線機とが給電線によって接続された無線装置において、所定の高周波信号に対して高い周波数の不要な高周波信号を除去するための臨時用無線フィルタ装置であって、
一端が開放され、他端が前記給電線に接続自在で、前記不要な高周波信号に対して接続点でのインピーダンスがゼロになるように、前記不要な高周波信号の波長に基づいて長さが設定された第１の分布定数線路と、
前記第１の分布定数線路から分岐して接続され、前記所定の高周波信号に対して前記接続点でのインピーダンスが無限大になるように、長さが設定された第２の分布定数線路と、
を備えることを特徴とする臨時用無線フィルタ装置。
【請求項３】
空中線と無線機とが給電線によって接続された無線装置において、所定の高周波信号に対して低い周波数の不要な高周波信号を除去するための臨時用無線フィルタ方法であって、
一端が開放または短絡された第１の分布定数線路の他端を前記給電線に接続し、前記所定の高周波信号に対して接続点でのインピーダンスが無限大になるように、前記所定の高周波信号の波長に基づいて前記第１の分布定数線路の長さを設定し、
前記第１の分布定数線路から分岐して第２の分布定数線路を接続し、前記不要な高周波信号に対して前記接続点でのインピーダンスがゼロになるように、前記第２の分布定数線路の長さを設定する、
ことを特徴とする臨時用無線フィルタ方法。
【請求項４】
空中線と無線機とが給電線によって接続された無線装置において、所定の高周波信号に対して高い周波数の不要な高周波信号を除去するための臨時用無線フィルタ方法であって、
一端が開放された第１の分布定数線路の他端を前記給電線に接続し、前記不要な高周波信号に対して接続点でのインピーダンスがゼロになるように、前記不要な高周波信号の波長に基づいて前記第１の分布定数線路の長さを設定し、
前記第１の分布定数線路から分岐して第２の分布定数線路を接続し、前記所定の高周波信号に対して前記接続点でのインピーダンスが無限大になるように、前記第２の分布定数線路の長さを設定する、
ことを特徴とする臨時用無線フィルタ方法。
【請求項５】
空中線と無線機とが給電線によって接続された無線装置において、所定の高周波信号に対して不要な高周波信号を除去するために、前記給電線に接続される第１の分布定数線路の長さと、前記第１の分布定数線路から分岐して接続される第２の分布定数線路の長さとを算出するための臨時用無線フィルタプログラムであって、コンピュータを、
前記所定の高周波信号の周波数と前記不要な高周波信号の周波数とを入力する入力手段と、
前記所定の高周波信号に対して前記不要な高周波信号の周波数が低い場合に、前記所定の高周波信号に対して前記給電線と前記第１の分布定数線路との接続点でのインピーダンスが無限大になるように、前記所定の高周波信号の波長に基づいて前記第１の分布定数線路の長さを算出するとともに、前記不要な高周波信号に対して前記接続点でのインピーダンスがゼロになるように、前記第２の分布定数線路の長さを算出し、前記所定の高周波信号に対して前記不要な高周波信号の周波数が高い場合に、前記不要な高周波信号に対して前記接続点でのインピーダンスがゼロになるように、前記不要な高周波信号の波長に基づいて前記第１の分布定数線路の長さを算出するとともに、前記所定の高周波信号に対して前記接続点でのインピーダンスが無限大になるように、前記第２の分布定数線路の長さを算出する算出手段、
として機能させることを特徴とする臨時用無線フィルタプログラム。
【発明の詳細な説明】
【技術分野】
【０００１】
この発明は、不要な高周波信号を除去・排除するための装置、方法およびプログラムに関し、特に、非常災害時などに臨時に対応するための臨時用無線フィルタ装置、臨時用無線フィルタ方法および臨時用無線フィルタプログラムに関する。
【背景技術】
【０００２】
例えば、電力会社の電力保安用無線通信設備において、営業所では主に配電関係の車両に搭載した陸上移動局と、見通しの良い山上や建物の上に設けられた基地局、さらに、不感地帯対策として設けられた前進基地局によって、無線を利用して配電関係の業務を行っている。また，電力所では、各課の車両に搭載した陸上移動局と、必要に応じてヘリコプターに持ち込む携帯局と、見通しの良い山上や建物の上に設けられた基地局・携帯基地局によって、無線を利用して電力保安通信を行っている。
【０００３】
ここで、基地局を見通しの良い山上や建物の上に設置する大きな理由は、ＶＨＦ（Ｖｅｒｙ  Ｈｉｇｈ  Ｆｒｅｑｕｅｎｃｙ）帯やＵＨＦ（Ｕｌｔｒａ  Ｈｉｇｈ  Ｆｒｅｑｕｅｎｃｙ）帯の電波の性質として直進性が強いことが挙げられ、基地局の空中線位置から見通しの範囲内が主要な通信可能範囲となる。従って、効率の良い基地局配置を考えると、見通しの良い山上や建物の上に基地局を設けることが適しているためである。
【０００４】
また、基地局と陸上移動局、あるいは、携帯基地局と携帯局の形態で無線通信業務を行っている例は非常に多く、例えば、警察、消防、救急、国土交通省や地方自治体のダムや河川の管理、放送局、ガス会社、鉄道会社、デジタルＭＣＡ無線など様々であり、これらの多くは見通しの良い山上や建物の上に基地局を設けている。
【０００５】
一方、人口が集中している都市の近傍で、陸上移動局に対して効率の良い無線通信が可能とされる見通しの良い山上には、各免許人の基地局やテレビ放送等の送信所が、既に近接して多数設置されている場合が多い。このような場合に、各免許人同士の話し合いや実測調査等を行い、各々の無線局等の運用に際して、感度抑圧や混変調、相互変調による悪影響を及ぼさないように、相互に空中線系にフィルタ回路やトラップ回路を設けて不要な信号を排除し、効率の良い運用を行っている（例えば、特許文献１参照。）。
【先行技術文献】
【特許文献】
【０００６】
【特許文献１】特開平０９−１８１７８２号公報
【発明の概要】
【発明が解決しようとする課題】
【０００７】
ところで、これらの無線基地局は、自然災害に対して被害を受けにくい強固な地点を選定して設置され、電源やアクセス道路の途絶に対しても、自律的に運用の継続が可能な措置が講じられている。しかしながら、近年発生した災害において、想定外とされる事象が散見され、無線局の運用の継続ができなくなる事例があった。そして、各免許人においては、このような災害によって基地局の継続運用ができなくなった場合に、車両に搭載した可搬型基地局を通信の確保に適切な場所に臨機に運搬、設置し、自らの無線の運用継続の確保を講じる。
【０００８】
この際、車両に搭載した可搬型基地局の運用を効果的に行うには、見通しの良い山上に無線設備を臨時に設置することとなるが、見通しの良い山上には既に他の免許人の無線局や放送局が設置されていることが多い。この場合、事前に既存の無線局の免許人に対しての混信調査や影響調査を行うことができないために、相互の電波の影響による感度抑圧や混変調、相互変調による悪影響が発生し、災害復旧に遅延をもたらすおそれがある。
【０００９】
このような事態を防ぐためには，影響を与える周波数関係が判明したら，ただちに適切なフィルタを空中線系に挿入すればよい。しかしながら、各無線局で一般的に使用されているフィルタは，電気的に所定の寸法の金属製の函の中に、電気的に所定の長さの共振素子を設け、銀メッキ処理を施すなどして性能が高められている。このため、短期間で所望の特性のフィルタを調達して、臨時に設けた可搬型基地局と既設の無線局の間で発生した悪影響を除去することが困難である。
【００１０】
そこでこの発明は、災害時などにおいて、容易かつ迅速に不要な高周波信号を除去・排除することを可能にする、臨時用無線フィルタ装置、臨時用無線フィルタ方法および臨時用無線フィルタプログラムを提供することを目的とする。
【課題を解決するための手段】
【００１１】
上記課題を解決するために、請求項１の発明は、空中線と無線機とが給電線によって接続された無線装置において、所定の高周波信号に対して低い周波数の不要な高周波信号を除去するための臨時用無線フィルタ装置であって、一端が開放または短絡され、他端が前記給電線に接続自在で、前記所定の高周波信号に対して接続点でのインピーダンスが無限大になるように、前記所定の高周波信号の波長に基づいて長さが設定された第１の分布定数線路と、前記第１の分布定数線路から分岐して接続され、前記不要な高周波信号に対して前記接続点でのインピーダンスがゼロになるように、長さが設定された第２の分布定数線路と、を備えることを特徴とする。
【００１２】
請求項２の発明は、空中線と無線機とが給電線によって接続された無線装置において、所定の高周波信号に対して高い周波数の不要な高周波信号を除去するための臨時用無線フィルタ装置であって、一端が開放され、他端が前記給電線に接続自在で、前記不要な高周波信号に対して接続点でのインピーダンスがゼロになるように、前記不要な高周波信号の波長に基づいて長さが設定された第１の分布定数線路と、前記第１の分布定数線路から分岐して接続され、前記所定の高周波信号に対して前記接続点でのインピーダンスが無限大になるように、長さが設定された第２の分布定数線路と、を備えることを特徴とする。
【００１３】
請求項３の発明は、空中線と無線機とが給電線によって接続された無線装置において、所定の高周波信号に対して低い周波数の不要な高周波信号を除去するための臨時用無線フィルタ方法であって、一端が開放または短絡された第１の分布定数線路の他端を前記給電線に接続し、前記所定の高周波信号に対して接続点でのインピーダンスが無限大になるように、前記所定の高周波信号の波長に基づいて前記第１の分布定数線路の長さを設定し、前記第１の分布定数線路から分岐して第２の分布定数線路を接続し、前記不要な高周波信号に対して前記接続点でのインピーダンスがゼロになるように、前記第２の分布定数線路の長さを設定する、ことを特徴とする。
【００１４】
請求項４の発明は、空中線と無線機とが給電線によって接続された無線装置において、所定の高周波信号に対して高い周波数の不要な高周波信号を除去するための臨時用無線フィルタ方法であって、一端が開放された第１の分布定数線路の他端を前記給電線に接続し、前記不要な高周波信号に対して接続点でのインピーダンスがゼロになるように、前記不要な高周波信号の波長に基づいて前記第１の分布定数線路の長さを設定し、前記第１の分布定数線路から分岐して第２の分布定数線路を接続し、前記所定の高周波信号に対して前記接続点でのインピーダンスが無限大になるように、前記第２の分布定数線路の長さを設定する、ことを特徴とする。
【００１５】
請求項１〜４の発明によれば、給電線と第１の分布定数線路との接続点において、所定の高周波信号に対してインピーダンスが無限大になっているため、所定の高周波信号は臨時用無線フィルタの影響を受けることなく、給電線側に通過する。一方、接続点において、不要な高周波信号に対してインピーダンスがゼロになっているため、不要な高周波信号は臨時用無線フィルタの作用により非常に大きな減衰を受けるため、給電線側には伝送されない。このようにして、不要な高周波信号を除去・排除して所定の高周波信号のみが、空中線と無線機との間を通過する。
【００１６】
請求項５の発明は、空中線と無線機とが給電線によって接続された無線装置において、所定の高周波信号に対して不要な高周波信号を除去するために、前記給電線に接続される第１の分布定数線路の長さと、前記第１の分布定数線路から分岐して接続される第２の分布定数線路の長さとを算出するための臨時用無線フィルタプログラムであって、コンピュータを、前記所定の高周波信号の周波数と前記不要な高周波信号の周波数とを入力する入力手段と、前記所定の高周波信号に対して前記不要な高周波信号の周波数が低い場合に、前記所定の高周波信号に対して前記給電線と前記第１の分布定数線路との接続点でのインピーダンスが無限大になるように、前記所定の高周波信号の波長に基づいて前記第１の分布定数線路の長さを算出するとともに、前記不要な高周波信号に対して前記接続点でのインピーダンスがゼロになるように、前記第２の分布定数線路の長さを算出し、前記所定の高周波信号に対して前記不要な高周波信号の周波数が高い場合に、前記不要な高周波信号に対して前記接続点でのインピーダンスがゼロになるように、前記不要な高周波信号の波長に基づいて前記第１の分布定数線路の長さを算出するとともに、前記所定の高周波信号に対して前記接続点でのインピーダンスが無限大になるように、前記第２の分布定数線路の長さを算出する算出手段、として機能させることを特徴とする臨時用無線フィルタプログラムである。
【発明の効果】
【００１７】
請求項１〜４の発明によれば、不要な高周波信号を除去・排除して所定の高周波信号のみを、空中線と無線機との間に通過させることができ、しかも、所定長の第１の分布定数線路を給電線に接続し、所定長の第２の分布定数線路を第１の分布定数線路から分岐して接続するだけでよい。このため、災害時などにおいて、容易かつ迅速に不要な高周波信号を除去・排除すること、つまり、無線装置（無線基地局）相互の悪影響を軽減することが可能となる。
【００１８】
請求項５の発明によれば、入力手段で所定の高周波信号の周波数と不要な高周波信号の周波数とを入力すると、算出手段によって第１の分布定数線路の長さと第２の分布定数線路の長さとが算出されるため、人手によらず、適正かつ容易、迅速に第１の分布定数線路と第２の分布定数線路の長さを取得・知得することができる。この結果、災害時などにおいて、より容易かつ迅速に不要な高周波信号を除去・排除することが可能となる。
【図面の簡単な説明】
【００１９】
【図１】この発明の実施の形態に係る臨時用無線フィルタ装置の基本形態を示す図である。
【図２】この発明の実施の形態１に係る臨時用無線フィルタ装置を示す概念図である。
【図３】伝送路での各インピーダンス等を示す図である。
【図４】この発明の実施の形態１における、ベクトルネットワークアナライザによる減衰特性と位相特性の測定結果を示す図である。
【図５】この発明の実施の形態１における、６０ＭＨｚ付近の減衰特性と位相特性の測定結果を示す図である。
【図６】この発明の実施の形態１における、１６０ＭＨｚ付近の減衰特性と位相特性の測定結果を示す図である。
【図７】この発明の実施の形態２に係る臨時用無線フィルタ装置を示す概念図である。である。
【図８】この発明の実施の形態２における、ベクトルネットワークアナライザによる減衰特性と位相特性の測定結果を示す図である。
【図９】この発明の実施の形態２における、６０ＭＨｚ付近の減衰特性と位相特性の測定結果を示す図である。
【図１０】この発明の実施の形態２における、１６０ＭＨｚ付近の減衰特性と位相特性の測定結果を示す図である。
【図１１】この発明の実施の形態３に係る臨時用無線フィルタ装置を示す概念図である。である。
【図１２】この発明の実施の形態４に係る臨時用無線フィルタプログラムによる表示画面の一例を示す図である。
【図１３】この発明の実施の形態に係る臨時用無線フィルタ装置を複数配設する状態を示す概念図である。
【発明を実施するための形態】
【００２０】
次に、この発明の各実施の形態１〜４について、図面を用いて詳しく説明する。
【００２１】
図１は、各実施の形態１〜４に係る臨時用無線フィルタ装置１の基本形態を示す図である。この臨時用無線フィルタ装置１は、空中線１０１と無線機(送受信機)１０２とが給電線１０３によって接続された無線装置１００において、所定の高周波信号に対して不要な高周波信号を除去するための装置であり、給電線１０３に接続自在な基本スタブ（第１の分布定数線路）２と、基本スタブ２から分岐して接続された補正スタブ（第２の分布定数線路）３と、を備えている。
【００２２】
ここで、通信対象である所定の高周波信号の周波数をｆｐ、波長をλｐとし、不要な高周波信号の周波数をｆｒ、波長をλｒとする。また、給電線１０３は、空中線１０１と無線機１０２との間で高周波信号を伝送するための同軸ケーブル（分布定数線路）である。この給電線１０３の途中（中央部）には、第１のプラグ１０４を介してＴ字状の第１のアダプタ１０５が配設され、２つの第１のプラグ１０４に給電線１０３が接続され、１つの第１のプラグ１０４に基本スタブ２が接続自在となっている。
【００２３】
基本スタブ２は、一端が開放または短絡された同軸ケーブルで、他端が給電線１０３に接続自在となっている。すなわち、他端部に第２のプラグ２１が配設され、第２のプラグ２１を第１のプラグ１０４に接続することで、基本スタブ２の他端を給電線１０３に接続自在（着脱自在）となっている。この接続状態では、基本スタブ２の内部導体が給電線１０３の内部導体に接続され、基本スタブ２の外部導体が給電線１０３の外部導体に接続され、基本スタブ２が給電線１０３に対して接続点Ａで並列に接続される。
【００２４】
また、基本スタブ２の所定位置には、第３のプラグ２２を介してＴ字状の第２のアダプタ２３が配設され、２つの第３のプラグ２２に基本スタブ２が接続され、１つの第３のプラグ２２に補正スタブ３が接続されている。そして、補正スタブ３が接続されている分岐点Ｂでは、補正スタブ３の内部導体が基本スタブ２の内部導体に接続され、補正スタブ３の外部導体が基本スタブ２の外部導体に接続されている。
【００２５】
（実施の形態１）
図２は、この実施の形態に係る臨時用無線フィルタ装置１を示す概念図である。この臨時用無線フィルタ装置１は、無線装置１００において、所定の高周波信号に対して低い周波数の不要な高周波信号を除去するための装置である。すなわち、この実施の形態では、所定の高周波信号の周波数ｆｐと、不要な高周波信号の周波数ｆｒとが、
ｆｐ＞ｆｒ
の関係にある。ただし、ｆｐ≒２ｆｒの場合には、実施の形態２を適用する。
【００２６】
この臨時用無線フィルタ装置１では、基本スタブ２の一端が開放され、他端が給電線１０３に接続され、所定の高周波信号に対して接続点Ａでのインピーダンスが無限大になるように（給電線１０３では周波数ｆｐの高周波信号が開放状態になるように）、所定の高周波信号の波長λｐに基づいて基本スタブ２の長さＬ１（図１参考）が、１／２λｐに設定されている。
【００２７】
また、補正スタブ３の基本スタブ２からの分岐点Ｂ（図１の距離Ｌ２、Ｌ３参考）および長さＬ４（図１参考）は、不要な高周波信号に対して接続点Ａでのインピーダンスがゼロになるように（給電線１０３では周波数ｆｒの高周波信号が短絡状態になるように）設定されている。具体的に、周波数ｆｐと周波数ｆｒとの関係に基づいて、分岐点Ｂは、接続点Ａからの距離Ｌ２が１／４λｐ（基本スタブ２の一端からの距離Ｌ３が１／４λｐ）に設定されている。また、補正スタブ３の長さＬ４は、次のようにして算出、設定されている。
【００２８】
まず、一般的な伝送路では、図３に示すように、インピーダンスは次のとおりとなる。
【数１】
2016058795.tif 000003
Ｚｓ：入力端におけるインピーダンス
Ｚ０：伝送路の特性インピーダンス
ＺＬ：負荷インピーダンス
Γｓ：入力端から伝送路を見た反射係数
γ：伝播定数（γ＝α＋ｊβ：αは減衰定数、βは位相定数）
ｄ：入力端から伝送路の終端までの線路長
【００２９】
以下では、伝送路が無損失である場合について説明する。伝送路が無損失である場合には、伝播定数γにおいて減衰定数α＝０になることから、無損失伝送路のインピーダンスは次のようになる。
【数２】
2016058795.tif 000004
【００３０】
この実施の形態では、補正スタブ３は先端短絡と先端開放の２種類である。先端短絡の場合のインピーダンス（実際にはリアクタンス）は、
ＺＬ＝０
であるので、先の数２式にこの条件を代入すると、
【数３】
2016058795.tif 000005
になる。ここで、
β＝２π／λ
であるので、インピーダンスは、
【数４】
2016058795.tif 000006
になる。
【００３１】
また、先端開放の場合のインピーダンスは、
ＺＬ＝∞
であるので、先の数２式にこの条件を代入すると、
【数５】
2016058795.tif 000007
になる。ここで、
β＝２π／λ
であるので、インピーダンスは、
【数６】
2016058795.tif 000008
になる。
【００３２】
そして、この実施の形態では、分岐点Ｂでは、この分岐点Ｂから給電線１０３側の線路つまり基本スタブ２の１／４波長の部分については、阻止周波数ｆｒに関して先端短絡の線路のインピーダンスＺ１が現れる。同様に、分岐点Ｂから開放点側の線路つまり基本スタブ２の１／４波長の部分については、阻止周波数ｆｒに関して先端開放の線路のインピーダンスＺ２が現れる。
【数７】
2016058795.tif 000009
インピーダンスＺ１とインピーダンスＺ２の並列合成インピーダンスは、
【数８】
2016058795.tif 000010
であり、この並列合成インピーダンスと逆符号のリアクタンスを持つ開放端の補正スタブ３は、
【数９】
2016058795.tif 000011
となる。これより、
【数１０】
2016058795.tif 000012
となる。
【００３３】
一方、数８式の並列合成インピーダンスと逆符号のリアクタンスを持つ短絡端の補正スタブ３は、
【数１１】
2016058795.tif 000013
となる。これより、
【数１２】
2016058795.tif 000014
となる。
【００３４】
このようにして得られた長さｄを補正スタブ３の長さＬ４とし、分岐点Ｂに並列に接続されている。そして、このような補正スタブ３が分岐点Ｂで基本スタブ２に接続されることで、基本スタブ２の長さＬ２の部分と長さＬ３の部分による合成リアクタンスと同じ値で、逆符号のリアクタンスが与えられるため、周波数ｆｒの不要な高周波信号に対しては、接続点Ａでの基本スタブ２（臨時用無線フィルタ装置１）側のインピーダンスがゼロになる。
【００３５】
次に、この実施の形態の動作について説明する。まず、非常災害時などに臨時に無線装置１００を設置した場合に、不要な高周波信号の周波数ｆｒを調査し、ｆｐ＞ｆｒの関係が成立すること、つまり、この実施の形態が適用できることを確認する。その後、上記のように、基本スタブ２の第２のプラグ２１を第１のプラグ１０４に接続することで、無線装置１００に臨時用無線フィルタ装置１を接続する。
【００３６】
そして、周波数ｆｐの所定の高周波信号が空中線１０１で受信されると、給電線１０３を介して無線機１０２に伝送され、また、無線機１０２から周波数ｆｐの高周波信号が出力されると、給電線１０３を介して空中線１０１に伝送されて空中線１０１から電波が出力される。このとき、周波数ｆｐの高周波信号に対して、接続点Ａから基本スタブ２側を見たインピーダンスが無限大になっているため、周波数ｆｐの高周波信号は、接続点Ａよりも基本スタブ２側（臨時用無線フィルタ装置１側）には通過・伝送せず、給電線１０３のみを通過する。
【００３７】
一方、周波数ｆｒの不要な高周波信号が空中線１０１で受信された場合、周波数ｆｒの高周波信号に対して、接続点Ａから基本スタブ２側を見たインピーダンスがゼロになっているため（給電線１０３では周波数ｆｒの高周波信号が短絡状態になっているため）、周波数ｆｒの高周波信号が接続点Ａよりも基本スタブ２側（臨時用無線フィルタ装置１側）に通過し、無線機１０２側（給電線１０３）には通過しない。このようにして、周波数ｆｒの不要な高周波信号が除去・排除されて、周波数ｆｐの所定の高周波信号のみが、空中線１０１と無線機１０２との間を通過する。
【００３８】
このように、この実施の形態によれば、不要な高周波信号を除去・排除して所定の高周波信号のみを、空中線１０１と無線機１０２との間に通過させることができ、しかも、所定長の基本スタブ２を給電線１０３に接続し、所定長の補正スタブ３を基本スタブ２から分岐して接続するだけでよい。このため、災害時などにおいて、容易かつ迅速に不要な高周波信号を除去・排除すること、つまり、無線装置（無線基地局）相互の悪影響を軽減することが可能となる。
【００３９】
また、主として、分布定数線路である基本スタブ２と補正スタブ３とで臨時用無線フィルタ装置１を構成するため、金属素子を用いる従来のフィルタに比べて外部環境の影響を受け難くすることができる。また、この実施の形態によれば、補正スタブ３の長さＬ４を調節することで、任意の周波数ｆｒの不要信号を減衰させることが可能である。また、第１のアダプタ１０５が配設された給電線１０３を臨時用無線フィルタ装置１の構成要素とし、作成する場合でも、給電線１０３に第１のアダプタ１０５を配設するだけでよいため、容易かつ迅速に不要な高周波信号を除去・排除することが可能である。
【００４０】
ここで、周波数ｆｐを１６０ＭＨｚ、周波数ｆｒを６０ＭＨｚとして、この実施の形態における、ベクトルネットワークアナライザによる減衰特性と位相特性の測定結果を図４に示し、６０．７ＭＨｚにおける減衰量（約３７ｄＢ）を図５に示し、１６２．８ＭＨｚにおける減衰量（０．１５ｄＢ）を図６に示す。これらの図に示すように、６０ＭＨｚでの減衰量がほぼ３０ｄＢであり、１６０ＭＨｚでの減衰量がほぼゼロであることが確認される。なお、図中Ｄ１、Ｄ３、Ｄ５が減衰特性を示し、図中Ｄ２、Ｄ４、Ｄ６が位相特性を示す。
【００４１】
ところで、この実施の形態では、無線装置１００に臨時用無線フィルタ装置１を接続しているが、次のような臨時用無線フィルタ方法であっても、実質的に同等である。なお、実施の形態２においても、同様である。
【００４２】
すなわち、一端が開放された基本スタブ２の他端を給電線１０３に接続し、所定の高周波信号に対して接続点Ａでのインピーダンスが無限大になるように、所定の高周波信号の波長λｐに基づいて基本スタブ２の長さＬ１を設定し、基本スタブ２から分岐して補正スタブ３を接続し、不要な高周波信号に対して接続点Ａでのインピーダンスがゼロになるように、補正スタブ３の長さＬ４を設定する。
【００４３】
（実施の形態２）
図７は、この実施の形態に係る臨時用無線フィルタ装置１を示す概念図である。この実施の形態では、所定の高周波信号の周波数ｆｐと、不要な高周波信号の周波数ｆｒとが、
ｆｐ≒２ｆｒ
の関係にあり、実施の形態１と同等の構成などについては、その説明を省略する。
【００４４】
この臨時用無線フィルタ装置１では、基本スタブ２の一端が短絡され、他端が給電線１０３に接続され、所定の高周波信号ｆｐに対して接続点Ａでのインピーダンスが無限大になるように、所定の高周波信号の波長λｐに基づいて基本スタブ２の長さＬ１（図１参考）が、３／４λｐに設定されている。
【００４５】
また、補正スタブ３の基本スタブ２からの分岐点Ｂ（図１の距離Ｌ２、Ｌ３参考）および長さＬ４（図１参考）は、不要な高周波信号に対して接続点Ａでのインピーダンスがゼロになるように設定されている。具体的に、周波数ｆｐと周波数ｆｒとの関係に基づいて、分岐点Ｂは、接続点Ａからの距離Ｌ２が１／４λｐ（基本スタブ２の一端からの距離Ｌ３が１／２λｐ）に設定されている。また、補正スタブ３の長さＬ４は、次のようにして算出、設定されている。
【００４６】
まず、分岐点Ｂでは、この分岐点Ｂから給電線１０３側の線路つまり基本スタブ２の１／４波長の部分については、阻止周波数ｆｒに関してインピーダンスＺ１が現れる。同様に、分岐点Ｂから開放点側の線路つまり基本スタブ２の１／２波長の部分については、阻止周波数ｆｒに関してインピーダンスＺ２が現れる。
【数１３】
2016058795.tif 000015
インピーダンスＺ１とインピーダンスＺ２の並列合成インピーダンスは、
【数１４】
2016058795.tif 000016
であり、この並列合成インピーダンスと逆符号のリアクタンスを持つ開放端の補正スタブ３は、
【数１５】
2016058795.tif 000017
となる。これより、
【数１６】
2016058795.tif 000018
となる。
【００４７】
一方、数１４式の並列合成インピーダンスと逆符号のリアクタンスを持つ短絡端の補正スタブ３は、
【数１７】
2016058795.tif 000019
となる。これより、
【数１８】
2016058795.tif 000020
となる。
【００４８】
このようにして得られた長さｄを補正スタブ３の長さＬ４とし、分岐点Ｂに並列に接続されている。
【００４９】
このような実施の形態によれば、実施の形態１と同様に、不要な高周波信号を除去・排除して所定の高周波信号のみを、空中線１０１と無線機１０２との間に通過させることができるものである。ここで、周波数ｆｐを１６０ＭＨｚ、周波数ｆｒを６０ＭＨｚとして、この実施の形態における、ベクトルネットワークアナライザによる減衰特性と位相特性の測定結果を図８に示し、５９．５ＭＨｚにおける減衰量（約３１ｄＢ）を図９に示し、１５９．１ＭＨｚにおける減衰量（０．０４ｄＢ）を図１０に示す。なお、図中Ｄ７、Ｄ９、Ｄ１１が減衰特性を示し、図中Ｄ８、Ｄ１０、Ｄ１２が位相特性を示す。
【００５０】
ところで、実施の形態１では、図６の符号Ｅに示すように、周波数ｆｐ（１６０ＭＨｚ）の近くでｈｕｍｐ・こぶ（減衰量の局部的な変動）が発生するが、この実施の形態２によれば、図１０に示すように、周波数ｆｐの周辺にこのようなｈｕｍｐは発生しない。このため、ｈｕｍｐが周波数調整の際に問題となる場合には、実施の形態２を適用することが好ましい。
【００５１】
（実施の形態３）
図１１は、この実施の形態に係る臨時用無線フィルタ装置１を示す概念図である。この実施の形態では、所定の高周波信号の周波数ｆｐと、不要な高周波信号の周波数ｆｒとが、
ｆｒ＞ｆｐ
の関係にあり、実施の形態１と同等の構成などについては、その説明を省略する。
【００５２】
この臨時用無線フィルタ装置１では、基本スタブ２の一端が開放され、他端が給電線１０３に接続され、不要な高周波信号に対して接続点Ａでのインピーダンスがゼロになるように（給電線１０３では周波数ｆｒの高周波信号が短絡状態になるように）、不要な高周波信号の波長λｒに基づいて基本スタブ２の長さＬ１（図１参考）が、３／４λｒに設定されている。
【００５３】
また、補正スタブ３の基本スタブ２からの分岐点Ｂ（図１の距離Ｌ２、Ｌ３参考）および長さＬ４（図１参考）は、所定の高周波信号に対して接続点Ａでのインピーダンスが無限大になるように（給電線１０３では周波数ｆｐの高周波信号が開放状態になるように）設定されている。具体的に、周波数ｆｐと周波数ｆｒとの関係に基づいて、分岐点Ｂは、接続点Ａからの距離Ｌ２が１／２λｒ（基本スタブ２の一端からの距離Ｌ３が１／４λｒ）に設定されている。また、補正スタブ３の長さＬ４は、次のようにして算出、設定されている。
【００５４】
分岐点Ｂでは、この分岐点Ｂから給電線１０３側の線路つまり基本スタブ２の１／２波長の部分については、通過周波数ｆｐに関して先端開放の線路のインピーダンスＺ１が現れる。同様に、分岐点Ｂから開放点側の線路つまり基本スタブ２の１／４波長の部分については、通過周波数ｆｐに関して先端開放の線路のインピーダンスＺ２が現れる。
【数１９】
2016058795.tif 000021
【００５５】
インピーダンスＺ１とインピーダンスＺ２の並列合成インピーダンスは、
【数２０】
2016058795.tif 000022
であり、この並列合成インピーダンスと逆符号のリアクタンスを持つ開放端の補正スタブ３は、
【数２１】
2016058795.tif 000023
となる。これより、
【数２２】
2016058795.tif 000024
となる。
【００５６】
一方、数２０式の並列合成インピーダンスと逆符号のリアクタンスを持つ短絡端の補正スタブ３は、
【数２３】
2016058795.tif 000025
となる。これより、
【数２４】
2016058795.tif 000026
となる。
【００５７】
このようにして得られた長さｄを補正スタブ３の長さＬ４とし、分岐点Ｂに並列に接続されている。そして、このような補正スタブ３が分岐点Ｂで基本スタブ２に接続されることで、基本スタブ２の長さＬ２の部分と長さＬ３の部分による合成リアクタンスと同じ値で、逆符号のリアクタンスが与えられるため、周波数ｆｐの所定の高周波信号に対しては、接続点Ａから基本スタブ２側を見たインピーダンスが無限大になる。
【００５８】
この実施の形態によれば、実施の形態１、２と同様に、周波数ｆｐの高周波信号に対して、接続点Ａでのインピーダンスが無限大になっているため、周波数ｆｐの高周波信号は、接続点Ａよりも基本スタブ２側（臨時用無線フィルタ装置１側）には通過・伝送せず、給電線１０３のみを通過する。一方、周波数ｆｒの高周波信号に対して、接続点Ａでのインピーダンスがゼロになっているため（給電線１０３では周波数ｆｒの高周波信号が短絡状態になっているため）、周波数ｆｒの高周波信号が接続点Ａよりも基本スタブ２側（臨時用無線フィルタ装置１側）に通過し、無線機１０２側（給電線１０３）には通過しない。このようにして、周波数ｆｒの不要な高周波信号が除去・排除されて、周波数ｆｐの所定の高周波信号のみが、空中線１０１と無線機１０２との間を通過する。
【００５９】
ところで、この実施の形態では、無線装置１００に臨時用無線フィルタ装置１を接続しているが、次のような臨時用無線フィルタ方法であっても、実質的に同等である。
【００６０】
すなわち、一端が開放された基本スタブ２の他端を給電線１０３に接続し、不要な高周波信号に対して接続点Ａでのインピーダンスがゼロになるように、不要な高周波信号の波長λｒに基づいて基本スタブ２の長さＬ１を設定し、基本スタブ２から分岐して補正スタブ３を接続し、所定の高周波信号に対して接続点Ａでのインピーダンスが無限大になるように、補正スタブ３の長さＬ４を設定する。
【００６１】
（実施の形態４）
図１２は、この実施の形態に係る臨時用無線フィルタプログラムによる表示画面の一例を示す図である。この臨時用無線フィルタプログラムは、空中線１０１と無線機１０２とが給電線１０３によって接続された無線装置１００において、所定の高周波信号に対して不要な高周波信号を除去するために、給電線１０３に接続される基本スタブ２の長さＬ１と、基本スタブ２から分岐して接続される補正スタブ３の長さＬ４とを算出するための臨時用無線フィルタプログラムであって、コンピュータを、
所定の高周波信号の周波数ｆｐと不要な高周波信号の周波数ｆｒとを入力する入力手段と、
所定の高周波信号に対して不要な高周波信号の周波数が低い場合に、所定の高周波信号に対して給電線１０３と基本スタブ２との接続点Ａでのインピーダンスが無限大になるように、所定の高周波信号の波長λｐに基づいて基本スタブ２の長さＬ１を算出するとともに、不要な高周波信号に対して接続点Ａでのインピーダンスがゼロになるように、補正スタブ３の長さＬ４を算出し、所定の高周波信号に対して不要な高周波信号の周波数が高い場合に、不要な高周波信号に対して接続点Ａでのインピーダンスがゼロになるように、不要な高周波信号の波長λｒに基づいて基本スタブ２の長さＬ１を算出するとともに、所定の高周波信号に対して接続点Ａでのインピーダンスが無限大になるように、補正スタブ３の長さＬ４を算出する算出手段、
として機能させるプログラムである。
【００６２】
具体的には、起動されると、まず、図１２に示すような入出力シート画面をディスプレイ（表示手段）に表示し、キーボードなどの入力インターフェイス（入力手段）によって、所定の高周波信号の周波数ｆｐ（セルＣ１）や不要な高周波信号の周波数ｆｒ（セルＣ２）、伝送路の特性インピーダンス（セルＣ３）などが入力されると、これらの値に基づいて、所定の高周波信号に対しては接続点Ａでのインピーダンスが無限大になり、不要な高周波信号に対しては接続点Ａでのインピーダンスがゼロになるような、基本スタブ２の長さＬ１と補正スタブ３の長さＬ４、分岐点Ｂの位置などを算出する。
【００６３】
この際、周波数ｆｐと周波数ｆｒとの大小関係に基づいて、実施の形態１〜３と同等の演算方法によって長さＬ１、Ｌ４などを算出する。例えば、図１２では、ｆｐ＞ｆｒの関係にあり、実施の形態１と同等の演算方法によって、長さＬ１、Ｌ４などを算出した結果を示している。ここで、セルＣ１１には、接続点Ａから分岐点Ｂまでの距離Ｌ２が出力され、セルＣ１２には、基本スタブ２の一端から分岐点Ｂまでの距離Ｌ３が出力される。従って、セルＣ１１の値（Ｌ２）とセルＣ１２の値（Ｌ３）を加算すると、基本スタブ２の長さＬ１が得られる。また、セルＣ１３には、開放端の補正スタブ３の長さＬ４が出力され、セルＣ１４には、短絡端の補正スタブ３の長さＬ４が出力さる。
【００６４】
このように、この実施の形態によれば、入力手段で所定の高周波信号の周波数ｆｐと不要な高周波信号の周波数ｆｒとを入力すると、基本スタブ２の長さＬ１や補正スタブ３の長さＬ４などが自動算出されるため、人手によらず、適正かつ容易、迅速に基本スタブ２と補正スタブ３の長さＬ１、Ｌ４などを取得・知得することができる。この結果、災害時などにおいて、より容易かつ迅速に基本スタブ２や補正スタブ３を作成して、不要な高周波信号を除去・排除することが可能となる。
【００６５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、三角関数を利用して補正スタブ３の長さＬ４を求めたが、スミスチャートを用いて求めてもよい。また、不要な高周波信号に対して、さらに大きな減衰量が必要な場合には、図１３に示すように、所定の間隔Ｌ５（例えば、不要な高周波信号の１／４λｒ）で同一の臨時用無線フィルタ装置１を複数接続してもよい。
【符号の説明】
【００６６】
１        臨時用無線フィルタ装置
２        基本スタブ（第１の分布定数線路）
３        補正スタブ（第２の分布定数線路）
１００    無線装置
１０１    空中線
１０２    無線機
１０３    給電線
Ａ        接続点
Ｂ        分岐点
【図１】
2016058795.tif 000027
【図２】
2016058795.tif 000028
【図３】
2016058795.tif 000029
【図４】
2016058795.tif 000030
【図５】
2016058795.tif 000031
【図６】
2016058795.tif 000032
【図７】
2016058795.tif 000033
【図８】
2016058795.tif 000034
【図９】
2016058795.tif 000035
【図１０】
2016058795.tif 000036
【図１１】
2016058795.tif 000037
【図１２】
2016058795.tif 000038
【図１３】
2016058795.tif 000039